(57)【要約】【課題】転写体用の清掃部材を備えなくても、像担持体からのトナー像の転写と転写体の表面のクリーニングとを確実に行うことができる転写装置、及び画像形成装置を提供する。【解決手段】画像形成装置１００は、中間転写ベルト２１、二次転写ベルト３１、駆動ローラ２２、電源ユニット５及び制御部２００を備える。電源ユニット５は、二次転写電圧を定電流化して印加する第１電源部５１とクリーニング電圧を切換えて定電圧化又は定電流化して印加する第２電源部５２とを有する。中間転写ベルト２１が担持するトナー像を用紙へ転写する時に、制御部２００は、電源ユニット５を制御して、クリーニング電圧を定電圧化するとともに二次転写電圧を定電流化して駆動ローラ２２に印加する。二次転写ベルト３１のクリーニング時に、制御部２００は、電源ユニット５を制御して、二次転写電圧の印加を停止し、クリーニング電圧を定電流化して駆動ローラ２２に印加する。【選択図】  図４
2014153376.tif 000002
【特許請求の範囲】
【請求項１】
像担持体が担持するトナー像を被転写体に転写する転写体と、
前記像担持体側から前記転写体側へトナーを移動させるための転写電圧を定電流化して出力する第１電源部と、前記転写体側から前記像担持体側へトナーを移動させるためのクリーニング電圧を切換えて定電流化又は定電圧化して出力する第２電源部と、を有し、前記第１電源部と前記第２電源部とを直列接続する電源ユニットであって、前記転写体に前記転写電圧又は前記クリーニング電圧を印加する電源ユニットと、
前記被転写体へのトナー像の転写時に、前記クリーニング電圧を定電圧化して出力するように前記第２電源部を制御するとともに、前記第１電源部を動作し、前記転写体のクリーニング時に、前記第１電源部を停止するとともに、前記クリーニング電圧を前記定電流化して出力するように前記第２電源部を制御する制御部と、を備える転写装置。
【請求項２】
前記制御部は、前記被転写体へのトナー像の転写時に、前記転写電圧の値に基づいて、
前記クリーニング電圧の絶対値が前記転写電圧の絶対値よりも大きくなるように前記クリーニング電圧の値を制御する請求項１に記載の転写装置。
【請求項３】
請求項１又は請求項２に記載の転写装置を備え、
前記転写体は、二次転写ベルトと前記像担持体である中間転写ベルト及び前記二次転写ベルトの一方を挟んで他方に対向配置された転写ローラとを有し、前記中間転写ベルトと前記二次転写ベルトとの間を通過する前記被転写体に前記中間転写ベルトが担持するトナー像を転写し、
前記電源ユニットは、前記転写ローラに印加する画像形成装置。
【請求項４】
請求項１又は請求項２に記載の転写装置を備え、
前記転写体は、転写ローラであり、前記被転写体である中間転写ベルト又は用紙に前記像担持体である感光体ドラムが担持するトナー像を転写する画像形成装置。
【発明の詳細な説明】
【技術分野】
【０００１】
この発明は、像担持体から転写体へのトナー像の転写と、転写体から像担持体へのトナーの逆転写と、を行うようにした転写装置、及び画像形成装置に関する。
【背景技術】
【０００２】
電子写真方式の画像形成装置は、像担持体のトナー像を像担持体に対向して配置された転写体に向けて転写させるための転写電圧を転写体に印加する転写装置を備えている。像担持体と転写体との組み合わせには、感光体と中間転写体、中間転写体と二次転写体、及び感光体と用紙搬送ベルトがある。
【０００３】
トナー像の転写後に像担持体の表面に残留したトナーは、次の画像形成処理における画質の劣化の原因となるために像担持体用清掃部材によって清掃されるが、この清掃前に転写体の表面に付着することがある。転写体の表面に付着したトナーは後の画像形成処理時における用紙等の汚損の原因となるために転写体の表面も清掃する必要があるが、転写体に専用の清掃部材を備えると転写装置が大型化する。
【０００４】
そこで、従来の転写装置には、転写電圧を定電流化して出力する第１電源部と、転写電圧とは逆特性のクリーニング電圧を定電圧化して出力する第２電源部と、を備えたものがある（例えば、特許文献１参照。）。転写体の表面から像担持体にトナーを逆転写する際には、トナー像の転写時に印加する転写電圧とは逆極性のクリーニング電圧を転写体に印加する。像担持体に逆転写したトナーは、像担持体用清掃部材によって清掃される。
【０００５】
ここで、像担持体や転写体の抵抗値は、湿度変化や熱膨張等の影響を受けて変化することがある。クリーニング電圧を定電圧化して印加すると、像担持体と転写体との間の抵抗値が上昇した際に、像担持体と転写体との間を流れる電流が不足して、クリーニング不良が生じる。特に、像担持体や転写体がベルトの場合には、湿度変化や熱膨張等の影響を受けやすく、抵抗値が変化しやすい。このため、クリーニング電圧も定電流化して印加することが考えられる。
【先行技術文献】
【特許文献】
【０００６】
【特許文献１】特開平１０−３２９７９号公報
【発明の概要】
【発明が解決しようとする課題】
【０００７】
しかし、転写電圧の印加時には、第１電源部から流れる電流が第２電源部へ逆流することを防止するために、転写電圧とクリーニング電圧とを出力する必要がある。クリーニング電圧を定電流化して出力すると、像担持体や転写体の抵抗値の変化を受けてクリーニング電圧の電圧値が不安定になり、第１電源部から流れる電流が第２電源部へ逆流するとともに、転写体を流れる電流が第１電源部に逆流することがある。転写体を流れる電流が第１電源部に逆流すると、転写不良が生じる。
【０００８】
この発明の目的は、転写体用清掃部材を備えなくても、互いに極性の異なる転写電圧とクリーニング電圧とを出力する２つの電源部を備えることで、像担持体からのトナー像の転写と転写体の表面のクリーニングとを確実に行うことができる転写装置、及び画像形成装置を提供することである。
【課題を解決するための手段】
【０００９】
この発明の転写装置は、転写体、電源ユニット、及び制御部を備える。転写体は、像担持体が担持するトナー像を被転写体に転写する。電源ユニットは、像担持体側から転写体側へトナーを移動させるための転写電圧を定電流化して出力する第１電源部と、転写体側から像担持体側へトナーを移動させるためのクリーニング電圧を切換えて定電流化又は定電圧化して出力する第２電源部と、を有し、第１電源部と第２電源部とを直列接続する。電源ユニットは、転写体に転写電圧又はクリーニング電圧を印加する。制御部は、被転写体へのトナー像の転写時に、クリーニング電圧を定電圧化して出力するように第２電源部を制御するとともに、第１電源部を動作し、転写体のクリーニング時に、第１電源部を停止するとともに、クリーニング電圧を定電流化して出力するように第２電源部を制御する。
【００１０】
被転写体へのトナー像の転写時に、制御部は、クリーニング電圧を定電圧化して電圧値を一定値に保つことで、定電流化された転写電圧の電圧値が変化しても、第１電源部から第２電源部へ電流が逆流するとともに、転写体を流れる電流が電源ユニットへ逆流することを防止する。また、転写体のクリーニング時に、制御部は、クリーニング電圧を定電流化して転写体に印加することで、湿度変化や熱膨張等の影響を受けて転写体の抵抗値が変化しても、転写体に不足なく電流を流す。
【００１１】
この構成において、制御部は、被転写体へのトナー像の転写時に、転写電圧の値に基づいて、クリーニング電圧の絶対値が転写電圧の絶対値よりも大きくなるようにクリーニング電圧の値を制御することが好ましい。転写装置は、転写電圧の電圧値の変化に応じてクリーニング電圧の電圧値を制御することで、転写体を流れる電流が電源ユニットへ逆流することを確実に防止することができ、第１電源部の破壊を防止できる。
【００１２】
この発明の画像形成装置は、上述の転写装置を備える。転写体は、二次転写ベルトと像担持体である中間転写ベルト及び二次転写ベルトの一方を挟んで他方に対向配置された転写ローラとを有し、中間転写ベルトと二次転写ベルトとの間を通過する被転写体に中間転写ベルトが担持するトナー像を転写する。電源ユニットは、前記転写ローラに印加する。
【００１３】
中間転写ベルトや二次転写ベルトの抵抗値が湿度や熱膨張等により変化しても、画像形成装置は、クリーニング電圧を定電流化して印加することで、二次転写ベルトに付着したトナーを中間転写ベルトへ確実に転写でき、次の画像形成処理における用紙の汚損を防ぐことができる。
【００１４】
この発明の画像形成装置は、上述の転写装置を備える。転写体は、転写ローラであり、被転写体である中間転写ベルト又は用紙に像担持体である感光体ドラムが担持するトナー像を転写する。
【００１５】
中間転写ベルトや用紙を搬送する搬送ベルトの抵抗値が湿度や熱膨張等により変化しても、画像形成装置は、クリーニング電圧を定電流化して印加することで、中間転写ベルトや用紙を搬送する搬送ベルトに付着したトナーを感光体ドラムへ確実に転写でき、次の画像形成処理における画質の劣化を防止できる。
【発明の効果】
【００１６】
この発明によれば、転写体用の清掃部材を備えなくても、互いに極性の異なる転写電圧とクリーニング電圧とを出力する２つの電源部を備えることで、像担持体からのトナー像の転写と転写体の表面のクリーニングとを確実に行うことができる。
【図面の簡単な説明】
【００１７】
【図１】この発明の実施形態に係る画像形成装置の一部の模式図である。
【図２】同画像形成装置の制御部のブロック図である。
【図３】同画像形成装置の電源ユニットの回路図である。
【図４】同制御部における転写処理を示すフローチャートである。
【発明を実施するための形態】
【００１８】
この発明の転写装置である二次転写ユニットを備える画像形成装置について、図を参照して説明する。図１に示すように、画像形成装置１００は、一例として、プロセス部１、中間転写ユニット２、二次転写ユニット３、電源ユニット５、及び制御部２００を備え、制御部２００の指示に基づいて、図示しない外部装置から入力される画像データを用いて用紙に電子写真方式による画像形成処理を行う。
【００１９】
プロセス部１は、露光ユニット１１、及び感光体ドラム１２Ａ〜１２Ｄを備える。プロセス部１は、画像データに基づく画像光を露光ユニット１１から照射して感光体ドラム１２Ａ〜１２Ｄの表面に静電潜像を形成し、トナーを供給して静電潜像をトナー像に可視化する。
【００２０】
中間転写ユニット２は、中間転写ベルト（この発明の像担持体に相当する。）２１、駆動ローラ（この発明の転写体に相当する。）２２、従動ローラ２３、一次転写ローラ２４Ａ〜２４Ｄ、及び、クリーニングユニット２５を有する。中間転写ベルト２１は、駆動ローラ２２及び従動ローラ２３に張架され、感光体ドラム１２Ｄ、１２Ｃ、１２Ｂ、１２Ａをこの順に通過する循環経路に沿って移動する。一次転写ローラ２４Ａ〜２４Ｄは、中間転写ベルト２１を挟んで感光体ドラム１２Ａ〜１２Ｄに対向するように配置される。一次転写ローラ２４Ａ〜２４Ｄは、一次転写電圧の印加によって感光体ドラム１２Ａ〜１２Ｄの表面に形成されたトナー像を中間転写ベルト２１の表面に順に一次転写する。
【００２１】
二次転写ユニット３は、二次転写ベルト（この発明の転写体に相当する。）３１、及び二次転写ローラ３２を有する。二次転写ローラ３２は、接地されている。
【００２２】
駆動ローラ２２は、電源ユニット５に接続されており、二次転写電圧の印加によって中間転写ベルト２１と二次転写ベルト３１との間の二次転写位置を通過する用紙（この発明の被転写体に相当する。）に中間転写ベルト２１からトナー像を二次転写する。クリーニングユニット２５は、トナー像の用紙への二次転写後に、中間転写ベルト２１の表面に残留したトナーを除去する。
【００２３】
用紙の搬送方向における二次転写位置の上流側には、センサ４１が配設されている。センサ４１は、用紙の通過を検出する。
【００２４】
図２に示すように、制御部２００は、ＣＰＵ２０１、ＲＯＭ２０２、ＲＡＭ２０３、及びモータ用ドライバ２０４を備え、センサ４１、モータ４２、電源ユニット５、及び操作部４０に接続されている。
【００２５】
ＣＰＵ２０１は、ＲＯＭ２０２に記録された制御プログラムを読み出し、ＲＡＭ２０３をワーキングエリアとして活用して、当該制御プログラムを実行する。ＣＰＵ２０１は、画像形成処理における所定のタイミングで駆動データをモータ用ドライバ２０４へ出力する。モータ用ドライバ２０４は、駆動データに基づいて、回転自在なモータ４２に対して選択的に電力供給を行う。ＣＰＵ２０１は、電源ユニット５を制御して、二次転写電圧とクリーニング電圧とを選択的に駆動ローラ２２へ印加する。
【００２６】
操作部４０は、画像形成処理の開始指示等を受け付ける。モータ４２は、中間転写ベルト２１を張架する駆動ローラ２２、二次転写ベルト３１を張架するローラ等に接続されており、電力供給が行われるとこれらのローラを回転させる。
【００２７】
電源ユニット５は、図３に示すように、転写電圧を出力する第１電源部５１とクリーニング電圧を出力する第２電源部５２とから構成され、駆動ローラ２２に接続されている。第１電源部５１は、正バイ駆動回路５１１、第１トランス５１２、ダイオード５１３，５１４、及びコンデンサ５１５を有する。第１トランス５１２は、１次側に正バイ駆動回路５１１が接続されており、２次側にダイオード５１３，５１４から構成される第１整流回路が接続されている。第１電源部５１は、ＣＰＵ２０１の指示に基づいて選択的に動作する。
【００２８】
正バイ駆動回路５１１は、発振回路であり、第１トランス５１２を介して、第１整流回路の出力側の地点Ａを流れる電流が所定の設定値ＳＡとなるように地点Ａの電圧ＶＡを定電流化して制御する。また、電圧ＶＡは、トナーの帯電極性（例えば、マイナス）と同極性（マイナス）となるように制御される。所定の設定値ＳＡには、トナー像の転写に必要な電流値が設定される。第１整流回路の出力側にはコンデンサ５１５が接続されている。
【００２９】
第２電源部５２は、クリーニング駆動回路５２１、第２トランス５２２、ダイオード５２３，５２４、コンデンサ５２５、及びフィードバック回路５２６，５２７を有する。第２トランス５２２は、１次側にクリーニング駆動回路５２１が接続されており、２次側にダイオード５２３，５２４から構成される第２整流回路が接続されている。第２電源部５２は、ＣＰＵ２０１の指示に基づいて選択的に動作する。
【００３０】
クリーニング駆動回路５２１は、発振回路であり、ＣＰＵ２０１の指示に基づいて、第２トランス５２２を介して、フィードバック回路５２６，５２７からのフィードバックを選択的に受けて、地点Ｂの電圧ＶＢを切換えて定電流化又は定電流化して制御する。クリーニング駆動回路５２１は、定電圧化する場合に、地点Ｂの電圧ＶＢが所定の設定値ＳＢ１となるように地点Ｂの電圧ＶＢを制御し、定電流化する場合に、第２整流回路の出力側の地点Ｂを流れる電流が所定の設定値ＳＢ２となるように地点Ｂの電圧ＶＢを制御する。また、電圧ＶＢは、トナーの帯電極性とは逆極性（プラス）となるように制御される。電圧ＶＢを定電圧化する時の設定値ＳＢ１には、電圧ＶＡよりも大きな絶対値の電圧値が設定される。電圧ＶＢを定電流化する時の設定値ＳＢ２は、二次転写ベルト３１のクリーニングに必要な電流値が設定される。第２整流回路の出力側にはコンデンサ５２５が接続されている。コンデンサ５２５は、一端がコンデンサ５１５に直列に接続されており、他端が接地されている。
【００３１】
フィードバック回路５２６，５２７は、コンデンサ５２５と接地との間の接続点Ｃで接続される。フィードバック回路５２６は、接続点Ｃの電流値をクリーニング駆動回路５２１にフィードバックする。フィードバック回路５２７は、接続点Ｃの電圧値をクリーニング駆動回路５２１にフィードバックする。なお、フィードバック回路５２６，５２７は、コンデンサ５２５に蓄えられた電荷量をフィードバックすればよい。電荷量は、接続点Ｃにおける電流値及び電圧値を検出することで取得できる。また、コンデンサ５１５は、駆動ローラ２２と並列に接続されている。
【００３２】
ＣＰＵ２０１は、用紙へのトナー像の転写時に、クリーニング電圧を定電圧化して出力するように第２電源部５２を制御して、第１電源部５１を動作させる。また、ＣＰＵ２０１は、二次転写ベルト３１のクリーニング時に、第１電源部５１を停止させて、クリーニング電圧を定電流化して出力するように第２電源部を制御する。
【００３３】
以上のように、用紙へのトナー像の転写時に、電源ユニット５は、電圧ＶＢの電圧値が電圧ＶＡの電圧値より高く設定されているため、第１電源部５１から第２電源部５２へ電流が流れることなく、トナーの帯電極性と同極性の二次転写電圧を定電流化して駆動ローラ２２へ印加することができる。さらに、駆動ローラ２２を流れる電流が電源ユニット５に逆流することを防止でき、正バイ駆動回路５１１の破壊を防止できる。
【００３４】
また、二次転写ベルト３１のクリーニング時に、電源ユニット５は、第１駆動回路５１が停止しているため、トナーの帯電極性とは逆極性のクリーニング電圧を定電流化して駆動ローラ２２へ印加することができる。
【００３５】
また、ＣＰＵ２０１は、操作部４０が画像形成処理の開始指示を受け付けると、画像形成処理を開始する。画像形成処理には、感光体ドラム１２Ａ〜１２Ｄの表面にトナー像を作像する作像処理、感光体ドラム１２Ａ〜１２Ｄからトナー像を中間転写ベルト２１を介して用紙に転写する転写処理、及び用紙に転写されたトナー像を定着させる定着処理が含まれる。以下、ＣＰＵ２０１における転写処理について図４を参照して説明する。なお、用紙は、所定のタイミングで搬送されるものとする。
【００３６】
図４に示すように、ＣＰＵ２０１は、転写処理の開始タイミングになるまで待つ（Ｓ１１）。ＣＰＵ２０１は、開始タイミングになると、モータ４２を回転させる（Ｓ１２）。モータ４２の回転に伴って、中間転写ベルト２１、二次転写ベルト３１が循環経路に沿って移動する。
【００３７】
ＣＰＵ２０１は、一次転写ローラ２４Ａ〜２４Ｄに一次転写電圧を印加する（Ｓ１３）。これにより、感光体ドラム１２Ａ〜１２Ｄが担持するトナー像が中間転写ベルト２１の表面に転写される。
【００３８】
ＣＰＵ２０１は、クリーニング電圧を定電圧化して出力するように第２電源部５２を制御して（Ｓ１４）、二次転写電圧を定電流化して出力するように第１電源部５１を制御する（Ｓ１５）。これにより、定電流制御された二次転写電圧が駆動ローラ２２に印加され、中間転写ベルト２１が担持するトナー像が用紙に転写される。
【００３９】
ＣＰＵ２０１は、用紙の後端をセンサ４１が検出するまで待つ（Ｓ１６）。ＣＰＵ２０１は、センサ４１が用紙の後端を検出すると、次の画像データがあるか否かを判断する（Ｓ１７）。ＣＰＵ２０１は、画像データがある場合に、Ｓ１３の処理へ戻る。
【００４０】
ＣＰＵ２０１は、画像データがない場合に、一次転写電圧の印加を停止する（Ｓ１８）。ＣＰＵ２０１は、二次転写電圧の出力を停止するように第１電源部５１を制御して（Ｓ１９）、クリーニング電圧を定電流化して出力するように第２電源部５２を制御する（Ｓ２０）。これにより、定電流制御されたクリーニング電圧が駆動ローラ２２に印加され、二次転写ベルト３１に付着したトナーが中間転写ベルト２１へ転写される。中間転写ベルト２１の表面に付着したトナーは、クリーニングユニット２５によって除去される。
【００４１】
ＣＰＵ２０１は、クリーニング電圧を定電流化して出力してから所定時間経過するのを待つ（Ｓ２１）。所定時間とは、二次転写ベルト３１が１周するのに要する時間である。
【００４２】
ＣＰＵ２０１は、所定時間経過すると、クリーニング電圧の出力を停止するように第２電源部５２を制御して（Ｓ２２）、モータ４２の回転を停止させる（Ｓ２３）。
【００４３】
以上のように、ＣＰＵ２０１は、第１電源部５１及び第２電源部５２を制御して、クリーニング電圧を定電圧化した状態で二次転写電圧を定電流化して出力し、二次転写電圧の出力を停止した後にクリーニング電圧を定電流化している。すなわち、二次転写電圧の出力時には、常に定電圧化されたクリーニング電圧が出力されている。これにより、ＣＰＵ２０１は、駆動ローラ２２を流れる電流が電源ユニット５に逆流することを防止でき、駆動ローラ２２に二次転写電圧を確実に印加することができるため、転写不良を防止できる。
【００４４】
また、ＣＰＵ２０１は、二次転写ベルト３１のクリーニング時に、クリーニング電圧を定電流化して印加する。これにより、ＣＰＵ２０１は、中間転写ベルト２１及び二次転写ベルト３１が湿度や熱膨張等により抵抗値が変化しても、中間転写ベルト２１と二次転写ベルト３１との間に不足なく電流が流れるため、二次転写ベルト３１に付着したトナーを中間転写ベルト２１へ確実に転写でき、二次転写ベルト３１の表面のクリーニング不良を防止できる。
【００４５】
なお、用紙へのトナー像の転写時に、ＣＰＵ２０１は、地点Ａの電圧ＶＡに基づいて、地点Ｂの電圧ＶＢの絶対値が電圧ＶＡの絶対値より大きくなるように、定電圧化された電圧ＶＢの設定値ＳＢ１を変更してもよい。例えば、ＣＰＵ２０１は、電圧ＶＡが所定値（−３００Ｖ）を超えたことを検出すると、電圧ＶＢの設定値ＳＢ１を＋５００Ｖから＋８００Ｖにするように第２電源部５２を制御する。なお、複数の所定値毎に電圧ＶＢの設定値ＳＢ１を対応付けて設けており、ＣＰＵ２０１は、電圧ＶＢの設定値ＳＢ１を段階的に変化させてもよい。
【００４６】
また、例えば、ＣＰＵ２０１は、電圧ＶＡの履歴を記憶部（不図示）に記憶しておき、電圧ＶＡの履歴に基づいて、電圧ＶＡの変化を予測して、電圧ＶＡの絶対値が電圧ＶＢの絶対値を超えないように第２電源部５２を制御してもよい。
【００４７】
以上より、用紙へのトナー像の転写時において、地点Ａの電圧ＶＡの電圧値が大きく変化する可能性があることを予測して、電圧ＶＡの絶対値が電圧ＶＢの絶対値を超えないように電圧ＶＢの設定値ＳＢ１を制御するため、駆動ローラ２２を流れる電流が電源ユニット５に逆流することを確実に防止でき、正バイ駆動回路５１１の破壊を確実に防止できる。
【００４８】
なお、上述の実施形態では、駆動ローラ２２に電源ユニット５を接続したが、二次転写ローラ３２に電源ユニット５を接続してもよい。二次転写ローラ３２に印加する二次転写電圧とクリーニング電圧の帯電極性のそれぞれは、駆動ローラ２２に印加する二次転写電圧とクリーニング電圧の帯電極性のそれぞれとは逆極性になる。
【００４９】
また、電源ユニット５と同様の構成の電源ユニットを一次転写ローラ（この発明の転写体に相当する。）２４Ａ〜２４Ｄに接続してもよい。感光体ドラム（この発明の像担持体に相当する。）１２Ａ〜１２Ｄが担持するトナー像を中間転写ベルト（この発明の被転写体に相当する。）２１に転写することができ、一次転写ローラ２４Ａ〜２４Ｄのクリーニング時に中間転写ベルト２１の表面に付着したトナーを感光体ドラム１２Ａ〜１２Ｄへ転写することができる。
【００５０】
さらに、感光体ドラム（この発明の像担持体に相当する。）が担持するトナー像を搬送ベルトが搬送する用紙（この発明の被転写体に相当する。）に転写ローラ（この発明の転写体に相当する。）によって転写する転写装置において、電源ユニット５と同様の電源ユニットを転写ローラに接続してもよい。
【００５１】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００５２】
２１…中間転写ベルト
２２…駆動ローラ２２
３…二次転写ユニット
３１…二次転写ベルト
５…電源ユニット
５１…第１電源部
５２…第２電源部
２００…制御部
【図１】
2014153376.tif 000003
【図２】
2014153376.tif 000004
【図３】
2014153376.tif 000005
【図４】
2014153376.tif 000006